(57)【特許請求の範囲】
【請求項１】
発射台に搭載されて、実弾発射時の排気煙および発射音に相当する煙および音を発射台に止まったまま発射台の前後方向に発生可能とした模擬ロケット弾であって、
筒体内に同時作動可能な複数のエアバッグ用インフレータを固定配置するとともに、
筒体の両端面をシート状のカバー部材によって閉塞したことを特徴とする模擬ロケット弾。
【請求項２】
略偏平円柱状のエアバッグ用インフレータをその軸心が筒体の軸心と直交するような向きとして、その筒体の長手方向に複数のエアバッグ用インフレータを並べて配置したことを特徴とする請求項１に記載の模擬ロケット弾。
【請求項３】
略偏平円柱状のエアバッグ用インフレータの軸心を筒体の軸心と一致させて、その筒体の長手方向に複数のエアバッグ用インフレータを並べて配置したことを特徴とする請求項１に記載の模擬ロケット弾。
【請求項４】
各エアバッグ用インフレータが筒体の長手方向に延在する支持部材を介して筒体に固定支持されていることを特徴とする請求項２または３に記載の模擬ロケット弾。
【請求項５】
筒体の円筒状の内壁面に複数列にわたってエアバッグ用インフレータが直接的に固定配置されていることを特徴とする請求項１に記載の模擬ロケット弾。
【請求項６】
筒体の前後両端部のうちいずれか一方側に片寄った状態で複数のエアバッグ用インフレータが固定配置されていることを特徴とする請求項１〜５のいずれかに記載の模擬ロケット弾。
【発明の詳細な説明】
【０００１】
【発明の属する技術分野】
本発明は、ロケット弾の発射訓練や展示演習時に実際のロケット弾に代わって用いられる模擬ロケット弾に関するものである。
【０００２】
【従来の技術】
ロケット弾の発射訓練や展示演習を行うには、実際のロケット弾を発射して行う場合と、ロケットランチャーの後端を閉塞して火薬を装填した空砲を用いて行う場合とがある。
【０００３】
【発明が解決しようとする課題】
前者のように実際のロケット弾を使用する場合には、必然的にその取り扱いに慎重を期す必要があるばかりでなく、発射地点から着弾予想地点までの間に民家等の存在しない広大な土地を確保する必要がある上、発射時にイグナイタ（点火器）などの備品がロケットランチャーの後方に飛散することから、実際には発射訓練等を行うことができる場所が極端に制約されるという問題がある。
【０００４】
一方、後者のように空砲を用いて行う場合には、火薬燃焼時の煙や音はロケットランチャーの前端開口から発生するだけであり、しかも、この時の音は大砲の発射音に似たものとなることから、必ずしもロケット弾の発射訓練や展示演習に適しているとは言えず、加えて、火薬が燃焼する際に径方向および後方に負荷がかかるためにこの負荷に耐え得るだけの補強をロケットランチャー側に施しておかなければならず、コストアップが余儀なくされる。その上、多量の火薬類を使用しているために実弾並みの取り扱いが必要であり、特にその保管については火薬庫にて厳重に管理する必要がある。
【０００５】
本発明は以上のような課題に着目してなされたもので、取り扱いが容易で飛散物の発生もなく、また飛翔することなく発射台に止まったまま発射台の前後方向に実際のロケット弾の排気煙および発射音に相当する煙および音を発生させることができ、さらには固定のための特別な補強を不要とした模擬ロケット弾を提供することを目的としている。
【０００６】
すなわち、既存の自動車のエアバッグ用インフレータがロケット推進薬と同じ窒化ナトリウム等を使用していて、その作動時に煙と音の発生を伴う点に着目し、このエアバッグ用インフレータを有効利用した模擬ロケット弾を提供しようとするものである。
【０００７】
【課題を解決するための手段】
請求項１に記載の発明は、発射台に搭載されて、実弾発射時の排気煙および発射音に相当する煙および音を発射台に止まったまま発射台の前後方向に発生可能とした模擬ロケット弾であって、筒体内に同時作動可能な複数のエアバッグ用インフレータを固定配置するとともに、筒体の両端面をシート状のカバー部材によって閉塞したことを特徴としている。
【０００８】
請求項２に記載の発明は、請求項１に記載の発明におけるエアバッグ用インフレータの具体的な配置として、略偏平円柱状のエアバッグ用インフレータをその軸心が筒体の軸心と直交するような向きとして、その筒体の長手方向に複数のエアバッグ用インフレータを並べて配置したことを特徴としている。
【０００９】
請求項３に記載の発明は、同じく請求項１に記載の発明におけるエアバッグ用インフレータの具体的な配置として、略偏平円柱状のエアバッグ用インフレータの軸心を筒体の軸心と一致させて、その筒体の長手方向に複数のエアバッグ用インフレータを並べて配置したことを特徴としている。
【００１０】
請求項４に記載の発明は、請求項２または３に記載の発明における各エアバッグ用インフレータが筒体の長手方向に延在する支持部材を介して筒体に固定支持されていることを特徴としている。
【００１１】
請求項５に記載の発明は、請求項１に記載の発明における筒体の円筒状の内壁面に複数列にわたってエアバッグ用インフレータが直接的に固定配置されていることを特徴としている。
【００１３】
請求項６に記載の発明は、請求項１〜５のいずれかに記載の発明における筒体の前後両端部のうちいずれか一方側に片寄った状態で複数のエアバッグ用インフレータが固定配置されていることを特徴としている。
【００１４】
ここで、各請求項に記載の発明はロケット弾以外に砲弾、誘導ミサイル弾等の模擬弾に適用することも可能である。
【００１５】
したがって、請求項１〜５に記載の発明では、発射台に止まったままの状態で、インフレータの作動に伴い実際のロケット弾の排気煙および発射音に相当する煙および音が発射台の前後方向に発生するので、広大な土地を必要とすることなく実際のロケット弾を使用した場合さながらの発射訓練や展示演習が行われることになる。この時、複数のエアバッグ用インフレータが同時作動したとしても、その能力からして筒体後方への負荷等はほとんど発生しないばかりでなく、飛散物の発生もない。
【００１６】
また、筒体の両端面がシート状のカバー部材で予め閉塞されていることにより、発射訓練や展示演習に使用するまでは、筒体内部への塵埃や湿気の侵入が確実に阻止され、保存性が良好なものとなる。その一方、エアバッグ用インフレータの作動時にはカバー部材が衝撃によって張り裂けて、煙や音の発生を許容しつつカバー部材自体の飛散が防止される。
【００１７】
さらに、請求項６に記載の発明では、筒体の長手方向の一端部側にインフレータの重心が片寄っていることから、筒体全体が長尺であってもランチャーへの搭載を楽に行えることになる。
【００１８】
【発明の効果】
請求項１，２，４に記載の発明によれば、所定の筒体内に自動車のエアバッグ用インフレータを複数個配置して同時作動させるようにしたため、広大な土地を必要とすることもなければ後方への飛散物の発生を伴うこともなく、実際のロケット弾を使用した場合と同じ雰囲気での発射訓練や展示演習を行うことができることはもちろんのこと、実際のロケット弾の排気煙および発射音に相当する煙および音が発射台の前後方向で発生するため、より一層実戦に即した発射訓練や展示演習を行うことができる効果がある。また、筒体の両端面がシート状のカバー部材で閉塞されているために、筒体内部への塵埃等の侵入を阻止してその保存性を良好なものとすることができるほか、作動時にはカバー部材が張り裂けるもその飛散を未然に防止できる効果がある。
【００１９】
さらに、上記のように自動車のエアバッグ用インフレータを主要素としているので、安全でしかも重量的にも大幅に軽量化することができるほか、作動時に大きな負荷が発生することがないので、ランチャー側での特別な補強も不要となる。その上、インフレータ自体が火薬取締法の対象とならないためにその取り扱いおよび保管がきわめて容易であり、特に保管については火薬庫である必要がなく他の装備品と同様に保管できることから、その管理工数を大幅に削減できる効果がある。
【００２１】
また、請求項６に記載の発明によれば、インフレータの重心を筒体の前後両端部のうちのいずれか一方側に積極的に片寄らせてあるため、上記請求項１〜５に記載の発明と同様の効果のほかに、ランチャーへの模擬ロケット弾の搭載を楽に行える効果がある。
【００２２】
また、請求項７に記載の発明によれば、インフレータの重心を筒体の前後両端部のうちのいずれか一方側に積極的に片寄らせてあるため、上記請求項１〜６に記載の発明と同様の効果のほかに、ランチャーへの模擬ロケット弾の搭載を楽に行える効果がある。
【００２３】
【発明の実施の形態】
図１，２は本発明に係る模擬ロケット弾の好ましい実施の形態を示す図で、この模擬ロケット弾１は、ＰＶＣパイプその他の所定の直径を有する中空円筒状の筒体２内に、自動車用エアバッグのガス発生手段として用いられるインフレータ３を複数個並べて配置することにより構成されている。
【００２４】
上記の筒体２は、金属、アルミニウム等の非鉄金属あるいはプラスチック等のいずれの材質のものでもよく、要は後述するように複数のインフレータ３を支えることができるだけの適度な剛性を有していて、なおかつ各インフレータ３が発生する音を共鳴させることができる機能さえあればよい。
【００２５】
また、上記のエアバッグ用インフレータ３は、図２に示すように、取付用のフランジ部４を有する略偏平円柱状のものとして形成されていて、例えばアルミニウム製のケース５内に窒素ガス発生剤である窒化ナトリウム等と着火剤とが装填されてユニット化されているもので、周囲に多数のガス噴出穴６が開口形成されているとともに、起爆導線７が外部に露出している。
【００２６】
そして、上記筒体２内の軸心上に支持手段としてのバー状のステー８を同じく支持手段であるブラケット９を介して横架し、ステー８をはさんでその表裏両面側に互いに対向するようなかたちで、つまり各インフレータ３の軸心と筒体２の軸心とが直交するようなかたちで、合計１０個のインフレータ３をボルト・ナット１０にて固定してある。なお、ブラケット９は筒体２に対して溶接、リベットあるいはビス等にて固定される。
【００２７】
さらに、筒体２の両端面はシート状のカバー部材である比較的厚目のアルミ箔製のエンドカバー１１にて閉塞されているとともに、各インフレータ３から導出された起爆導線７は導通ケーブル１２として集約された上、コネクタ１３を介して図示外の点火コントローラに接続される。
【００２８】
このように構成された模擬ロケット弾１の運用は次のような手順による。
【００２９】
すなわち、模擬ロケット弾１を図７に示すようなキャニスタタイプの発射筒（連装発射台を含む）１５を有する発射機１４等に搭載したのち、発射筒１５を所定の発射角度にセットする（ただし、図７は後述する別のタイプのロケット弾の搭載状態を示している）。
【００３０】
そして、模擬ロケット弾１の各インフレータ３を点火信号で一斉に着火・作動させると、インフレータ３が発生するガス圧で筒体２の両端のエンドカバー１１が張り裂ける一方、各インフレータ３からのガス発生に伴う音が筒体２内で共鳴し、その結果として、実際のロケット弾の排気煙および発射音に相当する煙および音が発射筒１５の前後で発生するかたちとなり、これをもって実戦に即した発射訓練や展示演習が行われる。
【００３１】
この時、上記インフレータ３はその目的よりして大きな推力を発生することはないから、模擬ロケット弾１は飛翔することなしに発射筒１５に静止したまま状態を維持し、同時に筒体２そのものが軸心方向の大きな負荷を受けることもなければ、後方への飛散物も何ら発生しない。
【００３２】
図３，４は本発明に係る模擬ロケット弾１の第２の実施の形態を示す図で、複数のエアバック用インフレータ３のそれぞれの軸心を筒体２そのものの軸心と一致させるようにして筒体２内に配置した点で第１の実施の形態のものと異なっている。
【００３３】
より詳しくは、筒体２内に支持部材であるブラケット１６を介して一対の支持ロッド１７を横架し、これらの支持ロッド１７にインフレータ３と間隔規制用のバイプ状のスペーサ１８を交互に挿入して固定保持するようにしたものである。この場合、各インフレータ３を全て同じ向きに揃える必要はなく、例えば前後両方向へのガス発生の配分を考慮して、いくつかのインフレータ３の向きを逆向きとしてもよい。
【００３４】
本実施の形態においても基本的に第１の実施の形態のものと同様の機能が発揮されるほか、特に各インフレータ３の軸心と筒体２の軸心とを一致させてあるために、第１の実施の形態のものと比べて円周方向での重量バランスがよいという利点がある。
【００３５】
図５，６は本発明の第３の実施の形態を示す図で、筒体２の円筒状の内周面に複数列にわたってエアバッグ用インフレータ３をボルト・ナット１９，２０にて直接的に固定するようにした点で第１，第２の実施の形態のものと異なっている。そして、筒体２に対する複数のインフレータ３の配置としては、図７，８に示すように、発射筒１５への搭載時に後部側となる筒体２の一端部側に片寄らせるようにして複数のインフレータ３を配置してある。
【００３６】
その結果、模擬ロケット弾１としての重心が後部側となることから、特に模擬ロケット弾１が長尺のものであっても発射筒１５への搭載作業を楽に行える利点がある。そして、上記のように重心が片寄ったとしても、実際のロケット弾に比べれば模擬ロケット弾１そのものの重量が大幅に軽量化されていることから、模擬ロケット弾１の前方側にバランス取りのためのカウンタウエイトを搭載する必要はない。
【図面の簡単な説明】
【図１】本発明の第１の実施の形態を示す図で、（Ａ）はその断面説明図、（Ｂ）は同図（Ａ）の側面説明図。
【図２】（Ａ）は図１におけるエアバッグ用インフレータ単体の説明図、（Ｂ）は同図（Ａ）の左側面図である。
【図３】本発明の第２の実施の形態を示す断面説明図。
【図４】図３の側面説明図。
【図５】本発明の第３の実施の形態を示す要部断面説明図。
【図６】図５の側面説明図。
【図７】模擬ロケット弾の発射台への搭載状態を示す説明図。
【図８】図７の要部拡大図。
【符号の説明】
１…模擬ロケット弾
２…筒体
３…エアバッグ用インフレータ
８…ステー（支持部材）
９…ブラケット（支持部材）
１１…エンドカバー（カバー部材）
１５…発射筒
１６…ブラケット（支持部材）
１７…支持ロッド（支持部材）
【図１】
0003892138.tif 000002
【図２】
0003892138.tif 000003
【図３】
0003892138.tif 000004
【図４】
0003892138.tif 000005
【図５】
0003892138.tif 000006
【図６】
0003892138.tif 000007
【図７】
0003892138.tif 000008
【図８】
0003892138.tif 000009